(57)【要約】【課題】ランドセルに入りきらない比較的大型の荷物等を容易に収容可能であるとともに、使用しない場合には邪魔になることのない収容部を備えたランドセルカバーを提供すること。【解決手段】カバー本体２と、カバー本体２の外面側に備えられた収容部７を具備し、収容部７は、収容部７の左右の側壁を構成する一対のマチ片８と、カバー本体２の外面側とマチ片８に介在されるとともに下端部分をカバー本体２に取り付けられ、一対のマチ片８間の開口部分９を閉鎖して、収容部７の正面側の壁と底部分を構成する正面シート１０を具備するとともに、一対のマチ片８は、互いに、伸縮自在な弾性体によって構成された連通手段１１によって連通され、それぞれが対向する側に倒れた状態から起立した状態に変化自在とし、起立した状態に変化させることで、収容部７の収容空間を広げることを可能にした。【選択図】図１
0003161693.tif 000002
【実用新案登録請求の範囲】
【請求項１】
ランドセルの蓋の外側面を覆うランドセルカバーであって、
ランドセルの蓋に着脱自在に取り付けられるカバー本体（２）と、
該カバー本体（２）の外面側に備えられた収容部（７）と、を具備して、
前記収容部（７）は、
収容部（７）の左右の側壁を構成する一対のマチ片（８）と、
前記カバー本体（２）の外面側と前記マチ片（８）に介在されるとともに下端部分を前記カバー本体（２）に取り付けられ、前記一対のマチ片（８）間の開口部分（９）を閉鎖して、前記収容部（７）の正面側の壁と底部分を構成する正面シート（１０）と、を具備するとともに、
前記一対のマチ片（８）は、互いに、伸縮自在な弾性体によって構成された連通手段（１１）によって連通されており、それぞれが対向する側に向けて倒れた状態から、起立した状態に変化自在とし、起立した状態に変化させることで、前記収容部（７）の収容空間を広げることを可能にした、ことを特徴とするランドセルカバー。
【請求項２】
前記カバー本体（２）の裏面側に、固定バンド（３）を備えたことを特徴とする請求項１に記載のランドセルカバー。
【請求項３】
前記連通手段（１１）がゴム紐であることを特徴とする請求項１又は請求項２に記載のランドセルカバー。
【請求項４】
前記一対のマチ片（８）間に、前記連通手段（１１）を編み込むことによって、前記一対のマチ片（８）を連通したことを特徴とする請求項１乃至請求項３のいずれかに記載のランドセルカバー。
【請求項５】
前記正面シート（１０）の左右端部を正面側に折り畳むとともにその端部を、前記一対のマチ片（８）にそれぞれ、正面シート（１０）の裏面と前記マチ片（８）裏面が対向する配置で連結したことを特徴とする請求項１乃至請求項４のいずれかに記載のランドセルカバー。
【考案の詳細な説明】
【技術分野】
【０００１】
本考案はランドセルカバーに係り、より詳しくは、ランドセルに入りきらない荷物を収容可能な収容部を備えたランドセルカバーにおいて、収容部の収容量を自在に変化させることを可能にしたことを特徴とするランドセルカバーに関する。
【背景技術】
【０００２】
従来から、ランドセルを雨から守るために、あるいは児童の存在を車両の運転手等に知らせて事故を未然に防止するために、ランドセルの蓋に装着するランドセルカバーが提供されている。
【０００３】
そして、このランドセルカバーには、ランドセルの全体を覆う形態のものと、ランドセルの蓋部分のみを覆う形態のものがあり、更に、ランドセルの蓋を覆う形態のランドセルカバーでは、ランドセルに収容しきれない荷物やランドセル内への収容を欲しない荷物を収容するための収容部を備えたものが提案されており、これによれば、特に学期の始まりや終りなど、学校で使用している学用品等を自宅に持ち帰り、あるいは自宅に持ち帰っていた学用品等を学校へ持って行くときなど荷物が多いときで、ランドセルにすべての荷物を入れることができない場合に、これらのランドセルに入りきれない荷物をランドセルカバーに備えた収容部に収容することが可能である。
【０００４】
【特許文献１】特開２００４−２１５６８５号公報
【特許文献２】実用新案登録第３１１３９５２号公報
【考案の概要】
【考案が解決しようとする課題】
【０００５】
ところで、前述のように、従来のランドセルカバーの中には、ランドセルに入りきらない荷物を入れるための収容部を備えているものがあるが、従来のランドセルカバーの収容部では、収容空間が小さいために、特に、厚い教科書やノートを入れることはできなかった。
【０００６】
この点、従来のランドセルカバーの収容部の中には、伸縮性に富んだ生地や糸材を使用した収容部も提案されているが（特開２００４−２１５６８５号公報参照）、この収容部では、収容部の全体を伸縮性に富んだ生地等で構成しているために、収容物の大きさに応じて膨らむので、例えば給食用白衣や体操着等を収容するには良いが、例えば厚い本やノートのように、箱型の空間が必要なものを入れるには不適である。
【０００７】
その一方、ランドセルに入りきらないほどの荷物がある場合は頻繁にはないために、例えば、マチを備えた大きい収容部をランドセルカバーに取り付けた場合には、荷物が少ない場合には収容部の存在が邪魔になってしまうという問題点がある。
【０００８】
そこで、本考案は、ランドセルに入りきらない比較的大型の荷物等を容易に収容可能であるとともに、使用しない場合には邪魔になることのない収容部を備えたランドセルカバーを提供することを課題としている。
【課題を解決するための手段】
【０００９】
本考案のランドセルカバーは、
ランドセルの蓋の外側面を覆うランドセルカバーであって、
ランドセルの蓋に着脱自在に取り付けられるカバー本体と、
該カバー本体の外面側に備えられた収容部と、を具備して、
前記収容部は、
収容部の左右の側壁を構成する一対のマチ片と、
前記カバー本体の外面側と前記マチ片に介在されるとともに下端部分を前記カバー本体に取り付けられ、前記一対のマチ片間の開口部分を閉鎖して、前記収容部の正面側の壁と底部分を構成する正面シートと、を具備するとともに、
前記一対のマチ片は、互いに、伸縮自在な弾性体によって構成された連通手段によって連通されており、それぞれが対向する側に向けて倒れた状態から、起立した状態に変化自在とし、起立した状態に変化させることで、収容部の収容空間を広げることを可能にした、ことを特徴としている。
【考案の効果】
【００１０】
本考案のランドセルカバーでは、ランドセルに入りきらない荷物やランドセルに入れたくない荷物を入れるための収容部を備えているとともに、この収容部は、左右の側壁を構成する一対のマチ片と、この一対のマチ片間の開口を閉鎖して、収容部の正面側の壁と底部分を構成する正面シートを具備しており、一対のマチ片は、伸縮自在な弾性体によって構成された連通手段によって互いに連通されており、それにより、それぞれが対向する側に向けて倒れた通常の状態から、起立した状態に変化自在とし、起立した状態に変化させることで、収容部の収容空間を広げることを可能にしている。
【００１１】
そのため、本考案におけるランドセルカバーの収容部では、何も入れていないときには、左右側壁を構成する一対のマチ片が倒れているために邪魔になることがなく、その一方、荷物を入れた場合には、一対のマチ片が起立した状態に変化して収容部の収容空間を箱型に広げることが可能であるため、ランドセルに入りきらない比較的大型の荷物等を容易に収容可能である。
【図面の簡単な説明】
【００１２】
【図１】本考案のランドセルカバーの実施例を正面側から示した図である。
【図２】本考案のランドセルカバーの実施例を背面側から示した図である。
【図３】本考案のランドセルカバーの実施例の構造を側面から示した断面図である。
【図４】本考案のランドセルカバーの実施例の収容部の構造を平面から示した図である。
【図５】本考案のランドセルカバーの実施例の収容部の構造を平面から示した図である。
【図６】本考案のランドセルカバーの実施例における収容部の他の構成例を説明するための図である。
【考案を実施するための形態】
【００１３】
本考案のランドセルカバーでは、カバー本体を有しており、このカバー本体は、ランドセルの蓋に着脱自在に取り付けられ、それによりランドセルの蓋の外側面を覆うこととしている。
【００１４】
また、このカバー本体の外面側には収容部が備えられており、この収容部は、収容部の左右の側壁を構成する一対のマチ片と、この一対のマチ片間の開口部分を閉鎖して、収容部の正面側の壁と底部分を構成する正面シートを有している。
【００１５】
そして、正面シートは、前記カバー本体の外面側と前記マチ片間に介在されており、下端部分を前記カバー本体に取り付けられている。
【００１６】
また、前記一対のマチ片は、互いに、伸縮自在な弾性体によって構成された連通手段によって連通されており、それぞれが対向する側に向けて倒れた状態から、起立した状態に変化自在としており、起立した状態に変化させることで、収容部の収容空間を箱型に広げることを可能にしている。
【００１７】
ここで、前記カバー本体の裏面側に、ゴム等の弾性体により構成された固定バンドを備えて、この固定バンドによって本考案のランドセルカバーをランドセルの蓋に固定可能にすると良い。
【００１８】
また、前記連通手段は、伸縮自在な弾性体であればいずれでも良いが、ゴム紐を用いて、このゴム紐を前記一対のマチ片間で編み込むことで、一対のマチ片を連通するとよく、これにより容易に、一対のマチ片を、それぞれが対向する側に倒れた状態から、起立した状態に変化自在にすることができる。
【００１９】
更に、正面シートは、下端部分のみを胴前収容部の中マチ部の下方部分に連結して左右の端部分を自由端にしてもよいが、その他に、正面シートの左右端部を正面側に折り畳むとともにその端部を、前記一対のマチ片にそれぞれ、正面シートの裏面と前記マチ片裏面が対向する配置で連結してもよく、これにより、小さい小物を収容部内に確実に収容することが可能となる。
【実施例１】
【００２０】
本実施例のランドセルカバーの実施例について図面を参照して説明すると、図１は本実施例のランドセルカバーの正面図、図２は本実施例のランドセルカバーの背面図、図３は本実施例のランドセルカバーの縦断側面構造を示す断面図であり、図において１が本実施例のランドセルカバーである。
【００２１】
そして、本実施例のランドセルカバーは、カバー本体を備えており、このカバー本体によって、ランドセルの蓋の外側面を覆うことを可能にしている。
【００２２】
即ち、図において２がカバー本体であり、本実施例において前記カバー本体２は、防水性能を有した布地により構成されており、一般的なランドセルの蓋を覆うことが可能な寸法としている。
【００２３】
また、前記カバー本体２は、その裏面において、上方部分及び中間部分に、平坦長尺状のゴム製の固定バンドが取り付けられている。即ち、図２において３が固定バンドであり、本実施例においてこの固定バンド３は、カバー本体２の左右の端部分に、長手方向に見た左右の端部が取り付けられており、それにより、カバー本体２の幅方向を横断する形態で、固定バンド３は取り付けられている。
【００２４】
そして、この固定バンド３とカバー本体２間をランドセルの蓋を通過させることで、本実施例のランドセルカバー１をランドセルの蓋に固定可能としている。
【００２５】
また、前記カバー本体２は、裏面において下端部分には、ランドセルの蓋の下端部分を挿入して収容するためのポケット部４が形成され、このポケット部４の底部分の中央部には通過孔５が形成され、それ以外の箇所は閉鎖されている。
【００２６】
即ち、一般的にランドセルの蓋は、ランドセル本体の底部分に備えた係止金具に係止可能な係止部を備えたＹ字状の保持片が備えられているため、本実施例において前記ポケット部４の底部分の中央部には、この保持片を通過させるための通過孔５が形成されている。従ってこれにより、前記通過孔５に蓋の先端の保持片を通過させつつ、カバー本体２を蓋に固定することを可能にしている。ここで、図２において点線で示した２１が、ランドセルの蓋の先端部分に備えた保持片であり、本実施例のランドセルカバー１をランドセルの蓋に装着した場合には、図２に示すように、ランドセルの蓋の保持片２１部分が前記通過孔５を貫通してランドセルカバー１の下方部分に突出することになる。
【００２７】
なお、図において６は、ランドセルの上部に備えているフックに係止するための係止片であり、この係止片６をランドセルのフックに係止することで、ランドセルカバー１がズリ下がってしまうことを防止可能である。
【００２８】
次に、図において７は収容部である。即ち、本実施例のランドセルカバー１では、収容部７を備えており、この収容部７内に、ランドセルに入りきらない本、ノート等を収容可能にしている。
【００２９】
ここで、前記収容部７について説明すると、本実施例において、前記収容部７は、一対のマチ片と正面シートとを有している。
【００３０】
そして、前記一対のマチ片は、収容部７の左右の側壁を構成し、正面シートは、前記一対のマチ片間の開口を閉鎖して収容部７の正面側の壁を構成するとともに、収容部７の底部分を構成することとしている。
【００３１】
即ち、図において８が一対のマチ片であり、本実施例においてこのマチ片８はそれぞれ、防水性能を備えた柔らかい布製として、所定の幅を有する細長い形状としており、長手方向に沿った一側部分を、他側部分が互いに対向する配置になるように、前記カバー本体２の左右の端部分のそれぞれに取り付けている。
【００３２】
そして、マチ片８のそれぞれの他側部分は自由端としており、従って、一対のマチ片８間は、開口部分９とされており、一対のマチ片８はそれぞれ、自由端部を対向するマチ片８側に向けて倒れた状態から、自由端部を正面側へ向けた起立した状態に変化自在としている。
【００３３】
なお、一対のマチ片８の幅寸法は、一対のマチ片と正面シートとで構成する収容部７の収容量に従って決められる。即ち、収容量を大きくする場合には、一対のマチ片８の幅寸法を長くするとよく、また、一対のマチ片８の長さ寸法は、前記カバー本体２の縦方向の寸法以下にするとよい。
【００３４】
次に、図において１０が正面シートである。即ち、本実施例において前記正面シート１０は、四角形状の外形を有するシート状物としており、素材は、防水性能を有する柔らかい布製として、前記カバー本体２と、前記一対のマチ片８の間に配設されている。
【００３５】
また、前記正面シート１０の左右の幅寸法は、一対のマチ片８を起立した際に、一対のマチ片８間に形成されている開口部９を閉鎖可能程度とし、下端部分は前記カバー本体２の下方部分に取り付け、左右端部は自由端としている。
【００３６】
そしてこれにより、前記正面シート１０は、収容部７の正面側の壁を構成するとともに、収容部７の底部分を構成している。
【００３７】
次に、図において１１は、連通手段であり、伸縮自在な弾性体によって構成されている。具体的には、本実施例において前記連通手段１１は、ゴム紐によって構成されており、前記一対のマチ片８を連通している。
【００３８】
また、本実施例においては、前記マチ片８のそれぞれの自由端部近傍に、上下方向に向けて複数個の挿通孔１２を形成しており、前記連通手段１１は、靴に装着した靴紐のように、１本のゴム紐１１を、それぞれのマチ片８の自由端部に形成した挿通孔を交互に縫いながら、ジグザグ状にして、前記一対のマチ片８を連通している。
【００３９】
そして、マチ片８の連通に際しては、何らの外力も加えない通常の状態では、前記一対のマチ片８がそれぞれ、自由端部を対向するマチ片８側に向けて倒れた状態になるようにしている。
【００４０】
そのために、収容部７内に何も入っていない場合には、前記一対のマチ片８がそれぞれ自由端部を対向するマチ片側に向けて倒れた状態であるとともに、それによって、前記正面シート１０は前記カバー本体２に接触するか近接した状態である。
【００４１】
そして、収容部７内に何かを入れた場合には、正面シート１０がカバー本体２から離れる方向に移動するとともに、その正面シート１０の両端部分に押されるようにして、前記一対のマチ片８は、徐々に起立していき、これにより、収容部７の収容空間を広げて、収容部７の収容量を増やすことが可能となり、一対のマチ片８が完全に起立した状態では、収容部７は、箱状の収容空間を有することになる。
【００４２】
この関係を示した図が図４及び図５であり、図４及び図５は、本実施例のランドセルカバー１を平面から見た状態を示した図である。そして、図４は、収容部７内に何も入っておれず、従って前記一対のマチ片８がそれぞれ自由端部を対向するマチ片８側に向けて倒れた状態を示しており、図５は、収容部７内に何かを入れることで、正面シート１０がカバー本体２から離れる方向に移動し、それにより、前記一対のマチ片８が、正面シート１０の両端部分に押されて起立し、これにより、収容部７の収容空間が広がった上体を示している。なお、図においては、理解を容易にするために係止片６、固定バンド３、及び連通手段１１は省略している。
【００４３】
次に、このように構成される本実施例のランドセルカバー１の作用について説明すると、前述したように、本実施例において、前記収容部７の側壁を構成する一対のマチ片８はそれぞれ、それぞれの自由端部を対向するマチ片８側に向けて倒れた状態から起立した状態に変化自在としており、この一対のマチ片８を伸縮自在な弾性体によって構成された連通手段１１で連通するとともに、連通に際しては、何らの外力も加えない通常の状態では、前記一対のマチ片８がそれぞれ、自由端部を対向するマチ片側に向けて倒れた状態になるようにしている。
【００４４】
そのために、連通手段１１の弾性力によって、収容部７内に何も入れていないときには、図４に示されるように、左右側壁を構成する一対のマチ片８が倒れているために、ランドセルカバー１の全体の厚みが厚くなることがないので、収容部７が邪魔になることがない。
【００４５】
一方、収容部７内に荷物を入れた場合には、図５に示すように、正面シート１０がカバー本体２から離れる方向に移動することで、一対のマチ片８は、この正面シート１０の両端部分に押されて、連通手段１１の弾性力に対抗して起立した状態に変化し、これにより収容部７の収容空間を広げることが可能であるので、主収容部２に入りきらない比較的大型の荷物等を容易に収容可能である。
【００４６】
そしてこのとき、本実施例の収容部７では、収容部７の側壁を構成する一対のマチ片８が、それぞれの自由端部を対向するマチ片８側に向けて倒れた状態から起立した状態に変化するため、収容部７を大きな箱状にすることができ、単に収容部を伸縮性に富んだ生地や糸材を使用して構成した場合と比較して、厚い本やノートを収容することも可能である。
【００４７】
なお、前述の実施例においては、正面シート１０は、左右の端部分を自由端とした場合を説明したが、左右の端部分は必ずしも自由端にする必要はない。
【００４８】
例えば、図６は、正面シート１０と一対のマチ片８との関係の他の構成を説明するための図であり、図６（ａ）（ｂ）においては、前記正面シート１０の左右端部を正面側に折り畳むとともに、その折畳んだ端部を、倒れている状態の一対のマチ片８の自由端部にそれぞれ、図において１３で示す部分で、正面シート１０の裏面と前記マチ片８裏面が対向する配置で、例えば縫製により連結しており、これにより、前述の場合と同様に、何も入れておらず一対のマチ片８が倒れている（ａ）の状態から、一対のマチ片８が起立して収容空間を広がった（ｂ）の状態に変化することを可能にするとともに、正面シート１０の左右の端部分をマチ片８に連結しているために、正面シート１０の左右側から小物が落ちることを防止可能としている。
【００４９】
そして、このとき、図６（ａ）（ｂ）に示す形態では、正面シート１０の左右端部を正面側に折り畳むとともに、その折畳んだ端部を倒れている状態の一対のマチ片８の自由端部にそれぞれ、正面シート１０の裏面と前記マチ片８裏面が対向する配置で連結しているために、マチ片８を起立させて開口部分９の間隔が広がった場合でも対応することができる。
【００５０】
即ち、図６（ａ）においてＬが、一対のマチ片８がそれぞれ倒れている場合の、一対のマチ片８間の開口部分の幅寸法であるが、この状態においてマチ片８を起立させると、（ｂ）においてＬ’で示されるように、開口部分９の間隔が広がる。そのため、例えば図６（ｃ）で示すように、正面シート１０の正面側と一対のマチ片８の裏面側を対向させて連結した場合には、正面シート１０が邪魔になってしまい開口部分９の間隔Ｌ’が広げることができないため、一対のマチ片８を起立させることができない。
【００５１】
しかしながら、図６（ａ）（ｂ）に示す形態の本考案では、このような問題点を有することなく、マチ片８を起立させて開口部分９の間隔が広がった場合でも対応することができる。
【００５２】
そのために、この図６（ａ）に示す形態の収容部７では、前述の収容部と同様に、何も入れていないときには一対のマチ片が倒れていて邪魔になることがない一方、荷物を入れた場合には一対のマチ片が起立した状態に変化し収容空間を広げることが可能であるとともに、正面シート１０の左右の端部分が一対のマチ片８に連結されているために、小物を収容してもこの小物が収容部７からこぼれ落ちることを防止することもできる。
【産業上の利用可能性】
【００５３】
本考案のランドセルカバーは、収容部を備えるとともに、収容部の収容空間を可変可能として、これにより、何も入れないときに収容部が邪魔になることを防止しているため、収容部を備えたランドセルカバーの全般に適用可能である。
【符号の説明】
【００５４】
１    ランドセルカバー
２    カバー本体
３    固定バンド
４    ポケット部
５    通過孔
６    係止片
７    収容部
８    マチ片
９    マチ片間の開口部
１０    正面シート
１１    連通手段
１２    挿通孔
１３    縫製箇所
【図１】
0003161693.tif 000003
【図２】
0003161693.tif 000004
【図３】
0003161693.tif 000005
【図４】
0003161693.tif 000006
【図５】
0003161693.tif 000007
【図６】
0003161693.tif 000008